(57)【要約】【課題】短絡や感電のおそれを排除し、容易かつ確実に電気使用回線の供給開始・供給停止を行うことができる遮断装置を提供することを目的とする。【解決手段】供給先からの需要家の屋内負荷に供給される電力線に取り付けられ、需要家への給電を許容又は停止する遮断装置１００を、カード２００を挿脱可能として保持するカード保持部１１０と、カード保持部１１０におけるカード２００の有無を検出してカード情報を発生するカード検出部１２０及びカード情報に基づいて前記電力計測装置への給電を許容又は禁止する電磁継断器１３０からなる断路スイッチ部１４０とから構成した。【選択図】図３
2007288868.tif 000002
【特許請求の範囲】
【請求項１】
供給元から需要家に電力を供給する電力線に取り付けられ、需要家への給電を許容又は禁止する遮断装置において、
カードを挿脱可能として保持するカード保持部と、
前記カード保持部におけるカードの有無を検出してカード情報を発生するカード検出部と、
前記カード情報に基づいて電力計測装置への給電を許容又は禁止する断路スイッチ部と、
を備えることを特徴とする遮断装置。
【請求項２】
前記断路スイッチ部は、カード情報がカード有になったとき給電を許容し、カード情報が無になったとき給電を禁止することを特徴とする請求項１記載の遮断装置。
【請求項３】
前記カードは、導電性の導通部を備えてなり、
前記カード検出部は、カード挿入部に保持された前記カードの導通部に接触する接点を有し、カード情報であるオン・オフ信号を発生するスイッチを備え、
前記遮断スイッチ部は、前記オン・オフ信号に従って給電を許容又は禁止する電磁継断器を備えることを特徴とする請求項２記載の遮断装置。
【発明の詳細な説明】
【技術分野】
【０００１】
本発明は遮断装置に係り、特に電力会社などの供給元から需要家の屋内負荷に供給される電力線に取り付けられ、需要家への給電を許容又は禁止する遮断装置に関する。
【背景技術】
【０００２】
図６は、従来の需要家への給電設備の一例を示す模式図である。電力会社からの電力は、電力線２２が吊設された電柱２１を備えた電力供給施設２０から家屋１０に供給される。この例では、電柱２１から低圧引込線２３が需要家の家屋１０に配置された引込線取付点３０まで接続され、この引込線取付点３０から積算電力計４０を経て分電盤５０に引き込まれるようになっている。この積算電力計４０は当該家屋１０の電力消費量を積算機４１で係数して積算値窓４２に表示する。また、分電盤５０には、漏電遮断装置５１や、屋内配線の各回路の安全ブレーカ５２が配置されている。なお、引込線取付点３０が設けられないことがあり、この場合には、低圧引込線２３は引込線取付点３０を経ることなく直接積算電力計４０に接続される（特許文献１、段落０００６及び図１参照）。
【０００３】
このような状態で、新築家屋や新築ビル等に入居者が入居する場合、給電を停止してあった既存家屋に新たな入居者が転入する場合、長期間の不在により給電を停止してあった家屋等へ入居者が戻る場合などには、電力需要家は電力会社に入居開始に合わせて給電開始を要請する。このような場合、電力会社は、その都度現地へ作業員を派遣して低圧引込線２３を電力需要家の引込線取付点３０や積算電力計４０に接続する作業を行っていた。また、需要家が電力を使用しなくなる場合には、電力会社は給電を停止するため、現地へ作業員を派遣して低圧引込線２３を外す作業を行っていた。
【０００４】
このような作業は、低圧引込線２３である電線を引込線取付点３０や積算電力計４０の端子にネジなどの締結具を使用して取り付け、取り外しを行うものである。
【０００５】
また、上述した積算電力計については特許文献１に、また、給電開始時における需要家での結線については特許文献２に記載がある。
【０００６】
【特許文献１】特開２００２−１６３３００号公報
【特許文献２】特開平１０−１１２９４４号公報
【発明の開示】
【発明が解決しようとする課題】
【０００７】
ところで、上述したように、電気使用回線の供給開始、供給停止に際しては、低圧引込線２３や低圧引込線２３に接続された端子は露出され電圧が印加されている状態である。このような状態で、端子の接続、接続解放を行う作業者は、充電部である低圧引込線２３や端子を短絡させたり、自らが感電したりしないよう充分に注意を払い作業を行う必要がある。
【０００８】
そこで本発明は、短絡や感電のおそれを排除し、容易かつ確実に電気使用回線の供給開始・供給停止を行うことができる遮断装置を提供することを目的とする。
【課題を解決するための手段】
【０００９】
本発明は、上記の課題を解決するため、供給先からの需要家の屋内負荷に供給される電力線に取り付けられ、需要家への給電を許容又は禁止する遮断装置を、カードを挿脱可能として保持するカード保持部と、カード保持部におけるカードの有無を検出してカード情報を発生するカード検出部と、前記カード情報に基づいて電力計測装置への給電を許容又は禁止する断路スイッチ部と、を備えるものとして構成する。
【発明の効果】
【００１０】
本発明によれば、遮断装置にカードを挿入するだけで電力供給を開始することができる一方、遮断装置からカードを抜き出すだけで電力供給を停止することができるため、充電部は露出されることなく、短絡や、感電のおそれがなく、安全かつ高い効率で給電開始・停止作業を行うことができる。
【発明を実施するための最良の形態】
【００１１】
以下本発明に係る遮断装置の実施の形態を説明する。図１は本発明の実施の形態に係る遮断装置を使用した需要家への配電設備の配置状態を示す模式図である。
【００１２】
電力会社からの電力は、電力線２２が吊設された電柱２１を備えた電力供給施設２０から家屋１０に供給される。この例では、電柱２１から低圧引込線２３が需要家の家屋１０に配置された引込線取付点３０に接続されている。また、この引込線取付点３０と本例に係る遮断装置１００、遮断装置１００と積算電力計４０、積算電力計４０と分電盤５０とは接続状態となっている。積算電力計４０及び分電盤５０は従来例で示したものと同様のものであり、積算電力計４０には積算機４１及び積算値窓４２が、分電盤５０には、漏電遮断器５１及び安全ブレーカ５２が配置されている。
【００１３】
図２は図１に示した遮断装置１００の外観を示す斜視図である。本例では、遮断装置１００には、カード２００を挿入、跋脱可能であり、挿入されたカード２００を保持するカード保持部１１０と、カード保持部１１０におけるカード２００の有無に基づいて給電を許容又は禁止する断路スイッチ部１４０とをその内部に配置している。なお、遮断装置１００の表側には遮断装置１００における電力の供給状態を示すパイロットランプ１０１が現れている。
【００１４】
カード２００は、合成樹脂製の板材２０１に良導体、例えば金、銀、銅、アルミニウム等の金属箔で構成された導通部２０２を貼付して形成されている。カード２００には必要に応じてＩＤ番号など文字、記号などを記載することができ、需要家の配電状況の管理に使用することができる。
【００１５】
図３は、図１に示した遮断装置の構成を示す回路図である。本例では、断路スイッチ部１４０は、カード保持部１１０におけるカードの有無を検出してカード情報を発生するカード検出部１２０と、前記カード情報に基づいて前記電力計測装置への給電を開始又は停止する断路スイッチ部である電磁継断器１３０とを備えている。
【００１６】
カード検出部１２０は基板１２１上に前記引込線取付点３０から延設される低圧引込線２３と電磁継断器１３０のコイル１３１に接続された２つの接点１２２，１２３を備えて構成される。本例では、接点１２２，１２３及びコイル１３１には、低電圧回路１５０を介して、低圧の電力が供給されている。そして、この接点１２２，１２３は、前記カード２００をカード保持部１１０に挿入して、カード保持部１１０がカード２００を保持した状態で、導通部２０２が接点１２２，１２３に接触し、導通部２０２により両接点１２２，１２３が導通状態となる。一方、カード２００をカード保持部１１０から抜き出すと、導通部２０２は両接点１２２，１２３から離れ、両接点１２２，１２３間は非導通状態となる。
【００１７】
電磁継断器１３０は、前記接点１２２，１２３が導通状態となったとき通電されて励磁される上記コイル１３１と、コイル１３１の磁力により駆動される鉄芯１３２と、鉄芯１３２に接続され、引込線取付点３０から積算電力計４０への給電を許容、禁止するスイッチ部１３４とを備える。ここで、鉄芯１３２は、常時スイッチ部１３４が非導通状態となるよう付勢されている。このため、カード２００を挿入して接点１２２，１２３を導通状態にしない限り、スイッチ部１３４は非導通状態を保つ。
【００１８】
次に本例に係る遮断装置１００の作動について説明する。
【００１９】
家屋１０では、引込線取付点３０に低圧引込線２３が引き込まれ、引込線取付点３０と遮断装置１００との間、遮断装置１００と積算電力計４０との間、積算電力計４０と分電盤５０との間は接続状態とされている。また、カード保持部１１０にはカードが挿入されていない状態であり、スイッチ部１３４は非導通状態であり、積算電力計４０への給電は停止されている。
【００２０】
この給電が停止された状態において、需要家の要望等により給電を開始するときには、電力会社の作業者は、この家屋１０専用のカード２００を持参し、家屋１０に赴く。
【００２１】
作業者によりカード２００が遮断装置１００のカード保持部１１０に挿入されると、接点１２２と接点１２３は、カード２００の導通部２０２に接触して、導通状態となる。これにより、コイル１３１に電流が流れ、鉄芯１３２が移動して、スイッチ部１３４が導通状態となり、引込線取付点３０から積算電力計４０への給電が許容される。これにより家屋１０への給電が開始されることになる。
【００２２】
また、給電状態から、需要家の要望等により給電を停止するときには、電力会社の作業者は、家屋１０に赴き、カード２００をカード保持部１１０から抜き出す。このカード２００の抜き出しにより、接点１２２と接点１２３との間から導通部２０２が外され、接点１２２と接点１２３とは非導通状態になり、コイル１３１に流れていた電流は遮断され、鉄芯１３２は戻り、スイッチ部１３４は非導通状態となり、積算電力計４０への給電は禁止される。これにより家屋１０への給電が停止されることになる。
【００２３】
以上説明したように、本例に係る遮断装置によれば、作業者は給電の開始・停止作業において低圧引込線２３等の給電部を露出せず、手に持っての作業を行う必要がなくなるので、短絡や、感電のおそれがなくなり、安全かつ高い効率で給電開始・停止作業を行うことができる。
【００２４】
また、本例に係る遮断装置１００によれば、遮断装置１００を使用するに際しては家屋の既存の給電設備に新たに遮断装置１００を設けるだけですみ、既存の給電設備をそのまま使用することができる。
【００２５】
図４は本発明に係る遮断装置の第２の実施の形態を示す回路図である。本例に係る遮断装置３００は、カードとしてＩＣカード２１０を使用している。本例に係る遮断装置３００はＩＣカードリーダ３１０を備え、このＩＣカードリーダ３１０には、データ送受信部３１１と図示しないアンテナとを備えている。また、ＩＣカード２１０は、合成樹脂製のカード本体２１１にＩＣチップ２１２と図示していないアンテナとを内蔵して構成されており、前記ＩＣカードリーダ３１０に設けたデータ送受信部３１１と電波のやりとりをおこなう。この電波のやりとりにより、ＩＣカードリーダ３１０はＩＣカード２１０の有無を検出する。
【００２６】
また、ＩＣカードリーダ３１０には、前記データ送受信部３１１がＩＣカード２１０を検出したとき導通状態となるスイッチ３１２を備えている。なお、図中上記例と同一の部分には同一の符号を付してある。
【００２７】
従って本例に係る遮断装置３００によれば、ＩＣカードリーダ３１０がＩＣカード２１０を検出したときスイッチ３１２が導通状態となり、コイル１３１の鉄芯１３２が駆動され、スイッチ部１３４が導通状態になる。従って本例に係る遮断装置３００によれば、上記例と同様に、安全かつ高い効率で給電開始・停止作業を行うことができる。
【００２８】
図５は本発明に係る遮断装置の第３の実施の形態を示す回路図である。本例に係る遮断装置４００は、カード２２０としてバーコード２１１を付したものを使用している。本例に係る遮断装置４００はバーコードリーダ４１０を備え、このバーコードリーダ４１０には、バーコードを読み取るバーコード読取装置４１１を備えている。バーコードリーダ４１０はバーコード読取装置４１１でカード２２０のバーコード２２１を読み取り、あらかじめ定められたデータと照合することにより、カード２２０の有無を検出する。
【００２９】
また、バーコードリーダ４１０には、バーコード読取装置４１１がカード２２０を検出したとき導通状態となるスイッチ４１２を備えている。なお、図中上記例と同一の部分には同一の符号を付してある。
【００３０】
従って本例に係る遮断装置４００によれば、バーコードリーダ４１０がカード２２０を検出したときスイッチ４１２が導通状態となり、コイル１３１の鉄芯１３２が駆動され、スイッチ部１３４が導通状態になる。従って本例に係る遮断装置４００によれば、上記例と同様に、安全かつ高い効率で給電開始・停止作業を行うことができる。
【００３１】
上述した場合には、カードＩＣチップやバーコードにＩＤナンバーを記録することができ、カード及び需要家の給電状態の管理を行うことができる。また、このように非接触でカードを認識するものにあっては、接点の接触不良に伴う不具合を回避することができる。
【図面の簡単な説明】
【００３２】
【図１】本発明の実施の形態に係る遮断装置を使用した需要家への配電設備の配置状態を示す模式図である。
【図２】図１に示した遮断装置の外観を示す斜視図である。
【図３】図１に示した遮断装置の構成を示す回路図である。
【図４】他の実施の形態に係る遮断装置の構成を示す回路図である。
【図５】他の実施の形態に係る遮断装置の構成を示す回路図である。
【図６】従来の需要家への配電設備の配置状態を示す模式図である。
【符号の説明】
【００３３】
１００    遮断装置
１１０    カード保持部
１２０    カード検出部
１２２    接点
１２３    接点
１３０    電磁継断器
１４０    断路スイッチ部
２００    カード
２０２    導通部
【図１】
2007288868.tif 000003
【図２】
2007288868.tif 000004
【図３】
2007288868.tif 000005
【図４】
2007288868.tif 000006
【図５】
2007288868.tif 000007
【図６】
2007288868.tif 000008